(57)【要約】【課題】本発明は、襟の外側から外力がかかる場合であっても襟の型崩れを抑制することができる抑制部材の提供を目的とする。【解決手段】本発明の抑制部材１０は、襟１１０を有する衣服１００とともに袋に収容され、襟１００の型崩れを抑制する抑制部材１０であって、襟１００の内側に配置され、襟１００に対向する第１部分２２と、襟１００の外側に配置され、第１部分２２とで襟１００を挟む第２部分２４と、襟１００の折り目に対向して配置され、第１部分２２と第２部分２４とを繋ぐ第３部分２６と、を備える。【選択図】図１Ｂ
2020033682.tif 000002
【特許請求の範囲】
【請求項１】
襟を有する衣服とともに袋に収容され、前記襟の型崩れを抑制する抑制部材であって、
前記襟の内側に配置され、前記襟に対向する第１部分と、
前記襟の外側に配置され、前記第１部分とで前記襟を挟む第２部分と、
前記襟の折り目に対向して配置され、前記第１部分と前記第２部分とを繋ぐ第３部分と、
を備える抑制部材。
【請求項２】
前記第１部分、前記第２部分及び前記第３部分を、前記第１部分と前記第２部分との対向方向に対し平行な平面で切断した切断面は、Ｕ字状の面とされている、
請求項１に記載の抑制部材。
【請求項３】
前記Ｕ字状の面における、前記第１部分に相当する面と前記第２部分に相当する面とは、開口側から前記第３部分に相当する面側に亘って対向間隔が徐々に狭くなっている、
請求項２に記載の抑制部材。
【請求項４】
平面状とされ、前記第１部分の内側に配置され、前記第１部分に繋がっている第４部分をさらに備える、
請求項１〜３のいずれか１項に記載の抑制部材。
【請求項５】
前記襟の襟元を覆う第５部分をさらに備え、
前記第５部分は、前記第３部分に繋がりつつ前記襟の正面視にて一部が前記襟元に重なる重なり部分を有する、
請求項１〜４のいずれか１項に記載の抑制部材。
【請求項６】
前記重なり部分における前記第３部分側の端部から前記第３部分側端部と反対側の端部に亘る各位置での幅は、前記第３部分の幅よりも広い、
請求項５に記載の抑制部材。
【請求項７】
前記重なり部分における前記第３部分側の端部から前記第３部分側端部と反対側の端部までの長さは、前記第３部分の幅よりも大きい、
請求項５又は６に記載の抑制部材。
【請求項８】
前記重なり部分の幅は、前記第３部分側の端部から前記第３部分側端部と反対側の端部側に亘って徐々に幅が狭くなっている、
請求項５〜７のいずれか１項に記載の抑制部材。
【請求項９】
前記重なり部分の突出量は、前記第３部分側の端部から前記第３部分側端部と反対側の端部側に亘って徐々に小さくなっている、
請求項５〜８のいずれか１項に記載の抑制部材。
【請求項１０】
前記第５部分は、前記第１部分の両端及び前記重なり部分の上端を繋いでいる繋ぎ部分を有する、
請求項５〜９のいずれか１項に記載の抑制部材。
【請求項１１】
前記第５部分は、前記重なり部分の幅方向の両側に、互いに対向し、前記重なり部分の長さ方向の勾配よりも急勾配とされる一対の対向壁を有する、
請求項５〜１０のいずれか１項に記載の抑制部材。
【請求項１２】
前記第５部分の幅方向の両側に配置され、前記襟の正面視にて前記襟の襟羽に重なる一対の重なり板をさらに備える、
請求項１１に記載の抑制部材。
【請求項１３】
襟を有する衣服とともに袋に収容され、前記襟の型崩れを抑制する抑制部材であって、
前記襟の内側に配置され、前記襟に対向する対向部分と、
前記対向部分と繋がり、前記襟の襟元を覆う覆い部分と、
を備える抑制部材。
【請求項１４】
平面状とされ、前記対向部分の内側に配置され、前記対向部分に繋がっている平板部分をさらに備える、
請求項１３に記載の抑制部材。
【請求項１５】
前記対向部分と前記覆い部分との境界部分は、直線状に折り曲げられ、
前記覆い部分は、前記対向部分に対し、前記境界部分を軸として揺動可能とされている、
請求項１３又は１４に記載の抑制部材。
【請求項１６】
前記覆い部分は、前記境界部分を挟んで前記対向部分側と反対側に前記境界部分から延在する延在部分と、前記延在部分と繋がって前記延在部分の幅方向の両側に配置され、互いに対向する一対の対向壁とを有し、前記延在部分と前記一対の対向壁とで形成される空間に前記襟元の少なくとも一部を収容して前記襟元を覆う、
請求項１３〜１５のいずれか１項に記載の抑制部材。
【請求項１７】
前記抑制部材は、樹脂製の一体成型品とされている、
請求項１〜１６に記載の抑制部材。
【請求項１８】
前記抑制部材は、透明とされている、
請求項１７に記載の抑制部材。
【請求項１９】
前記抑制部材は、前記衣服よりも硬い、
請求項１７又は１８に記載の抑制部材。
【発明の詳細な説明】
【技術分野】
【０００１】
本発明は、襟を有する衣服とともに袋に収容され、襟の型崩れを抑制する抑制部材に関する。
【背景技術】
【０００２】
襟付きの衣服の襟の型崩れを抑制するために、例えば、特許文献１に開示されているような輪状に組み立てられて襟の内側に嵌め込まれる襟当部材（特許文献１の図５〜図７参照）が使用されている。
特許文献１の襟当部材は、可撓性を有する薄板で形成された細長い帯状の部材であって長さ方向の両端部にそれぞれ複数の切込が形成されており、両端部の切込が相互に嵌め合されることで輪状に組み立てられるようになっている。また、輪状に組み立てられた襟当部材の輪の長さ（周長）は、嵌め合せる切込の位置により調整されるようになっている。
【先行技術文献】
【特許文献】
【０００３】
【特許文献１】特開平７−２３７６８０号公報
【発明の概要】
【発明が解決しようとする課題】
【０００４】
ところで、特許文献１の襟当部材は、襟の内側に嵌め込まれ襟の内側に接触することで、襟の型崩れを抑制している（特許文献１の図７参照）。そのため、襟の外側から何らかの外力がかかった場合、例えば搬送用の箱の中で複数着の襟付き衣服が重ねられているような場合、特許文献１の襟当部材が嵌め込まれている襟は、その上側に配置されている衣服の自重を受けて変形する虞がある。この場合、襟元や襟羽は、襟当部材により直接的に支持されていないため、襟首等よりも変形する可能性が高い。
また、搬送用の箱に襟付き衣服が詰め込まれる際に、例えば、襟付き衣服の収容袋の中の空気が抜かれてから（収容袋の中が真空にされてから）各襟付き衣服が箱に詰め込まれる場合がある。この場合、特許文献１の襟当部材が嵌め込まれている襟は、収縮する収容袋に押されて、すなわち、収容袋から外力を受けて変形する虞がある。
【０００５】
本発明は上記事情に鑑みてなされたものであり、その目的は襟の外側から外力がかかる場合であっても襟の型崩れを抑制することができる抑制部材を提供することにある。
【課題を解決するための手段】
【０００６】
本発明の第１の抑制部材は、襟を有する衣服とともに袋に収容され、前記襟の型崩れを抑制する抑制部材であって、前記襟の内側に配置され、前記襟に対向する第１部分と、前記襟の外側に配置され、前記第１部分とで前記襟を挟む第２部分と、前記襟の折り目に対向して配置され、前記第１部分と前記第２部分とを繋ぐ第３部分と、を備える。
また、本発明の第２の抑制部材は、襟を有する衣服とともに袋に収容され、前記襟の型崩れを抑制する抑制部材であって、無端状とされ、前記襟の内側に配置され、前記襟に対向する対向部分と、前記対向部分と繋がり、前記襟の襟元を覆う覆い部分と、を備える。
【発明の効果】
【０００７】
本発明の第１及び第２の抑制部材によれば、襟の外側から外力がかかる場合であっても襟の型崩れを抑制することができる。
【図面の簡単な説明】
【０００８】
【図１Ａ】第１実施形態の抑制部材を衣服の襟にセットした状態を示す正面図である。
【図１Ｂ】第１実施形態の抑制部材を衣服の襟にセットした状態を示す斜視図である。
【図２Ａ】第１実施形態の抑制部材の正面図である。
【図２Ｂ】第１実施形態の抑制部材の側面図である。
【図２Ｃ】第１実施形態の抑制部材の底面図である。
【図２Ｄ】図２Ａにおける２Ｄ−２Ｄ切断線で切断した断面図である。
【図３Ａ】第１実施形態の抑制部材を図１Ａの場合と異なるサイズの衣服の襟にセットした状態を示す正面図である。
【図３Ｂ】第１実施形態の抑制部材を図１Ａ及び図３Ａの場合と異なるサイズの衣服の襟にセットした状態を示す正面図である。
【図４Ａ】第１実施形態の第１変形例の抑制部材を衣服の襟にセットした状態を示す正面図である。
【図４Ｂ】第１実施形態の第２変形例の抑制部材を衣服の襟にセットした状態を示す正面図である。
【図４Ｃ】第１実施形態の第３変形例の抑制部材を衣服の襟にセットした状態を示す正面図である。
【図５Ａ】第２実施形態の抑制部材を衣服の襟にセットした状態を示す正面図である。
【図５Ｂ】第２実施形態の抑制部材を衣服の襟にセットした状態を示す斜視図である。
【図５Ｃ】第２実施形態の抑制部材の正面図である。
【図５Ｄ】第２実施形態の抑制部材の側面図である。
【発明を実施するための形態】
【０００９】
≪概要≫
以下、本発明の一例である、第１実施形態及びその変形例並びに第２実施形態及びその変形例について説明する。
【００１０】
≪第１実施形態及びその変形例≫
以下、第１実施形態について図面を参照しながら説明する。まず、第１実施形態の抑制部材１０（図１Ａ、図２Ａ等参照）の機能及び構成について説明する。次いで、第１実施形態の抑制部材１０の効果について説明する。次いで、変形例について説明する。なお、すべての図面において、同様な構成要素には同様の符号を付し、適宜説明を省略する。
【００１１】
＜第１実施形態の抑制部材の機能及び構成＞
図１Ａは、第１実施形態の抑制部材１０を衣服１００の襟１１０にセットした状態を示す正面図である。また、図１Ｂは、第１実施形態の抑制部材１０を衣服１００の襟１１０にセットした状態を示す斜視図である。ここで、「抑制部材１０を襟１１０にセットした状態」とは、抑制部材１０により襟１１０の型崩れを抑制することが可能な状態を意味する。
【００１２】
第１実施形態の衣服１００は、襟付き衣服であって、一例としてワイシャツとされている。ここで、図１Ａ及び図１Ｂの衣服１００と、後述する図３Ａの衣服１００と、図３Ｂの衣服１００とは、それぞれサイズ違いの同種のワイシャツとされ、それぞれ記載順に、Ｍサイズ、Ｓサイズ、Ｌサイズとされている。
第１実施形態では、襟１１０は、襟首１１２と、襟羽１１４と、襟元１１６とで構成されているものとする。ここで、襟首１１２とは、襟１１０のうち使用者（衣服１００を着る者）の首の前側以外の部分を囲む部分であり、襟１１０から襟羽１１４と襟元１１６とを除いた部分とする。
また、第１実施形態の説明では、図１Ａのように折り畳まれた衣服１００を正面視した場合における、衣服１００及び衣服１００にセットされた抑制部材１０の幅方向を符号Ｗで表す。幅方向に直交する方向（図１Ａにおける衣服１００の複数のボタンの並び方向）を、衣服１００及び抑制部材１０の上下方向とし、上下方向を符号Ｖで表す。この場合、上下方向のうち襟１１０側を上端側（符号＋）、襟１１０側の反対側を下端側（符号−）とする。さらに、幅方向及び上下方向に直交する方向である、衣服１００の厚み方向を符号Ｐで表す。この場合、厚み方向のうち正面に向く側を正面側（符号＋）、正面側の反対側を背面側（符号−）とする。
【００１３】
第１実施形態の抑制部材１０は、襟１１０を有する衣服１００とともに袋（図示省略）に収容され、襟１１０の型崩れを抑制する機能を有する。
図１Ａ及び図１Ｂの衣服１００は、例えば、製造後、クリーニング後等に、折り畳まれて袋（図示省略）に収容された状態を示している。第１実施形態の抑制部材１０は、折り畳まれた衣服１００の正面視にて衣服１００の襟１１０を厚み方向の正面側から覆うように衣服１００に重ねられて、衣服１００の定められた位置に配置される。ここで、「衣服１００の定められた位置」とは、図１Ａ及び図１Ｂ、図３Ａ並びに図３Ｂに示される抑制部材１０の位置であって、後述する周壁部２０が襟１１０の襟首１１２に嵌め込まれている位置を意味する。
【００１４】
第１実施形態の抑制部材１０は、図１Ａ、図１Ｂ、図２Ａ等に示されるように、周壁部２０と、襟元部３０（第５部分の一例）と、平板部４０（第４部分の一例）と、一対の襟羽部５０（一対の重なり板の一例）とを備えている。抑制部材１０は、一例として、透明な樹脂製の一体成型品とされている。また、抑制部材１０は、一例として、衣服１００よりも硬い。ここでいう「硬い」とは、抑制部材１０を衣服１００に押し当てると、衣服１００は抑制部材１０よりも大きく変形することを意味する。
【００１５】
抑制部材１０を構成する樹脂は、一例として、ポリプロピレン、ポリスチレン、及びＰＥＴ等があるが、他の樹脂であってもよい。抑制部材１０は、好ましくは真空成形法を用いて形成されるか、薄肉成型可能な射出成型を用いて成形されてもよい。
【００１６】
また、第１実施形態の抑制部材１０は、衣服１００の襟１１０にセットされた状態（図１Ａ参照）において（又はセットされた姿勢（図２Ａ参照）において）、左右対称とされている。図２Ａの一点鎖線は、抑制部材１０の対象線（中心線）を示している。
以下の抑制部材１０の構成の説明では、特に断り書がない限り、抑制部材１０が襟１１０にセットされた状態（図１Ａ参照）、すなわち、使用状態を前提とする。
【００１７】
（周壁部）
周壁部２０は、図１Ａ及び図１Ｂに示されるように、襟１１０の襟首１１２を囲んで襟１１０の型崩れ、特には襟首１１２の型崩れを抑制する機能を有する。
周壁部２０は、図１Ａ及び図１Ｂに示されるように、襟元１１６付近を中心角とする扇形状とされている。ここで、中心角は、一例として約１００°とされている。周壁部２０は、図１Ａ及び図１Ｂに示されるように、内周壁２２（第１部分の一例）と、外周壁２４（第２部分の一例）と、繋ぎ壁２６（第３部分の一例）とを有している。
【００１８】
内周壁２２は、抑制部材１０の襟１１０へのセット時に、襟１１０（襟首１１２）の内側に配置され、襟１１０に対向するようになっている。そのため、内周壁２２は、襟首１１２と同等な軌道を有する壁とされている。ただし、内周壁２２は襟首１１２の内側に配置されるため、その長さ方向の全長は襟首１１２の長さ方向の全長よりも短い。
外周壁２４は、抑制部材１０の襟１１０へのセット時に、襟１１０（襟首１１２）の外側に配置され、内周壁２２とで襟１１０（襟首１１２）を挟むようになっている。外周壁２４は、抑制部材１０の襟１１０への非セット時には、内周壁２２と対向している（図２Ｄ等参照）。そのため、外周壁２４は、襟首１１２と同等な軌道を有する壁とされている。ただし、外周壁２４は襟首１１２の外側に配置されるため、その長さ方向の全長は襟首１１２の長さ方向の全長よりも長い。
繋ぎ壁２６は、内周壁２２と外周壁２４とをそれぞれの長さ方向の一端から他端に亘って繋ぐ壁とされている。そのため、繋ぎ壁２６は、襟首１１２と同等な軌道を有する。ここで、繋ぎ壁２６の幅を符号Ｗａとする。第１実施形態の幅Ｗａは、一例として、その長さ方向の各位置において同等とされている。なお、幅Ｗａは、一例として０．５ｃｍ以上２．０ｃｍ未満とされ、襟首１１２の厚み（内周壁２２の厚みと外周壁２４の厚みとの和）よりも大きい。また、繋ぎ壁２６の高さは、一例として、その長手方向における一端から他端に亘って連続的に変化している。第１実施形態において、繋ぎ壁２６の高さの最大値は一例として３．０ｃｍ、最小値は一例として０．５ｃｍとされている。繋ぎ壁２６の高さが最大値となる部分は長さ方向の一端及び他端に相当する部分とされ、最小値となる部分は長さ方向の中間地点に相当する部分、すなわち、後述する平板部４０（図２Ａ、図２Ｂ参照）を挟んで上下方向において襟元部３０の反対側の部分とされている。ここで、繋ぎ壁２６の高さの基準は、厚み方向における、後述する平板部４０の位置とする。
繋ぎ壁２６は、内周壁２２及び外周壁２４よりも厚み方向の正面側に配置され、その短手方向の両端でそれぞれ内周壁２２及び外周壁２４に繋がっている（図２Ｂ及び図２Ｄ参照）。そして、抑制部材１０の襟１１０へのセット時に、繋ぎ壁２６は襟１１０（襟首１１２）の折り目に対向して配置されるようになっている。
【００１９】
図２Ｄは、図２Ａにおける２Ｄ−２Ｄ切断線で切断した断面図を示している。すなわち、図２Ｄの断面図は、周壁部２０を構成する、内周壁２２、外周壁２４及び繋ぎ壁２６を、内周壁２２と外周壁２４との対向方向に対し平行な（仮想）平面で切断した切断面とされている。当該切断面は、厚み方向の背面側が開口しているＵ字状の面とされている。ここでいう「Ｕ字状」とは、その一端から他端に亘る軌道が直線及び曲線又は曲線のみで形成され、かつ、屈曲している部分がない形状を意味する。
また、図２Ｄに示されるＵ字状の断面図では、内周壁２２に相当する面と、外周壁２４に相当する面とは、その開口側から繋ぎ壁２６に相当する面側（厚み方向の背面側から正面側）に亘って対向間隔が徐々に狭くなっている。別言すると、内周壁２２及び外周壁２４の一方又は両方は、他方又はそれぞれの他方に向けて倒れている又は傾いている姿勢とされている。
【００２０】
（襟元部）
襟元部３０は、図１Ａ及び図１Ｂに示されるように、衣服１００の襟元１１６を覆う機能を有する。襟元部３０は、図１Ａ、図１Ｂ、図２Ａ等に示されるように、天板部３２（重なり部分の一例）と、上側壁３４（繋ぎ部分の一例）と、一対の対向壁３６とを有している。
【００２１】
天板部３２は、抑制部材１０の襟１１０へのセット時に、上下方向の上端側で周壁部２０の繋ぎ壁２６に繋がりつつ、襟１１０の正面視にてその一部が襟元１１６に重なっている。天板部３２の幅Ｗｂは、図２Ａに示されるように、上下方向の上端から下端側に亘って徐々に狭くなって最小幅Ｗｂｍとなり、最小幅Ｗｂｍとなる位置からさらに下端に亘って徐々に広くなっている。ここで、天板部３２の最小幅Ｗｂｍは、一例として、２．０ｃｍとされ、繋ぎ壁２６の幅Ｗａよりも広い。すなわち、天板部３２の上下方向の上端から下端に亘る各位置での幅Ｗｂは、繋ぎ壁２６の幅Ｗａよりも広い。
また、抑制部材１０を正面視した場合の天板部３２の長さＬ（図２Ａ参照）は、繋ぎ壁２６の幅Ｗａよりも大きい。ここで、「長さＬ」とは、抑制部材１０を正面視した場合の天板部３２の上下方向の上端（繋ぎ壁２６側の端部）から下端（繋ぎ壁２６側と反対側の端部）までの長さを意味する。第１実施形態の長さＬは、一例として、３．０ｃｍ以上７．０ｃｍ以下とされている。
また、図２Ｂに示されるように、天板部３２の厚み方向における突出量Ｖａは、上下方向の上端から下端側に亘って徐々に小さくなるように設定されている。なお、第１実施形態における突出量Ｖａの基準は、厚み方向における、後述する平板部４０の位置とする。また、第１実施形態における、突出量Ｖａの最大値は、一例として、２．０ｃｍ以上３．０ｃｍ以下とされている。
【００２２】
上側壁３４は、図１Ａ、図２Ａ、図２Ｂ等に示されるように、内周壁２２の両端に挟まれる位置、かつ、天板部３２に対して上下方向の上端側の位置に配置されている壁であって、内周壁２２の両端及び天板部３２の上端を繋いでいる壁とされている。
【００２３】
一対の対向壁３６は、図１Ａ、図２Ａ、図２Ｃ等に示されるように、天板部３２の幅方向の両側に配置され、互いに対向しつつ、天板部３２を支持する壁とされている。一対の対向壁３６の各壁の勾配は、天板部３２の上下方向（長さ方向）の勾配よりも急勾配に設定されている。
【００２４】
（平板部）
平板部４０は、図１Ａ、図２Ａ、図２Ｄ等に示されるように、周壁部２０、すなわち、内周壁２２の内側に配置された平面状の板とされている。平板部４０の全周縁は、内周壁２２における繋ぎ壁２６に繋がっている側と反対側の全端部、及び、襟元部３０の上側壁３４における天板部３２に繋がっている側と反対側の全端部に繋がっている。
【００２５】
（一対の襟羽部）
一対の襟羽部５０は、図１Ａ、図２Ａ、図２Ｃ等に示されるように、襟元部３０を挟んで、抑制部材１０（又は襟元部３０）の幅方向の両側に配置され、抑制部材１０の襟１１０へのセット時における襟１１０の正面視にて襟１１０の襟羽１１４に重なる板とされている。
【００２６】
以上が、第１実施形態の抑制部材１０の機能及び構成についての説明である。
【００２７】
＜第１実施形態の抑制部材の効果＞
次に、第１実施形態の抑制部材１０の効果（第１〜第１５の効果）について図面を参照しながら説明する。
【００２８】
（第１の効果）
第１の効果は、抑制部材１０が周壁部２０を備えていることの効果である（図１Ａ、図１Ｂ、図２Ａ等参照）。別言すると、本効果は、抑制部材１０が、内周壁２２と、外周壁２４と、繋ぎ壁２６とを備えていることの効果である。
前述のとおり、特許文献１の襟当部材は、襟の内側に嵌め込まれ襟の内側に接触することで、襟の型崩れを抑制している。そのため、特許文献１の襟当部材が嵌め込まれている襟は、襟の外側から外力がかかった場合（この場合には衣服を収容している袋の中が真空にされた場合も含む。以下、同じ。）に変形し易い。特に、襟元や襟羽は、襟当部材により直接的に支持されていないため、襟首等よりも変形し易い。
これに対して、第１実施形態の抑制部材１０は、内周壁２２と、外周壁２４と、繋ぎ壁２６とを備えている（図１Ａ、図１Ｂ、図２Ａ等参照）。そのため、第１実施形態の抑制部材１０がセットされた襟１１０にその外側（外周壁２４の外側）から外力がかかった場合、当該外力が襟首１１２に直接かかることがない（又はかかり難い）。
したがって、第１実施形態の抑制部材１０によれば、襟１１０の外側から外力がかかる場合であっても襟１１０の型崩れ（特には襟首１１２の型崩れ）を抑制することができる。
なお、第１実施形態の周壁部２０は、襟首１１２の厚みよりも大きい幅Ｗａの繋ぎ壁２６を有する。そのため、第１実施形態の周壁部２０には、異なるサイズの衣服１００の襟１１０をセットすることができる（図１Ａ、図３Ａ及び図３Ｂ参照）。すなわち、上記第１の効果は、同等の大きさの抑制部材１０が複数のサイズの衣服１００に対しても発揮される点で有効である。
【００２９】
（第２の効果）
第２の効果は、周壁部２０の切断面が屈曲している部分のないＵ字状の面とされていることの効果である（図２Ａ及び図２Ｄ参照）。
例えば、周壁部の切断面が屈曲している部分を有する面とされている抑制部材（図示省略）の場合、当該抑制部材の襟１１０へのセット時に、襟首１１２の折り目の一部又は全部が当該抑制部材の屈曲している部分に引っ掛かる場合がある。その結果、当該抑制部材にセットされた襟１１０は自然な状態で維持され難い。
これに対して、第１実施形態の抑制部材１０は、周壁部２０の長さ方向の各位置における切断面に屈曲している部分がないＵ字状の面とされている（図２Ａ及び図２Ｄ参照）。そのため、第１実施形態の抑制部材１０は、襟１１０へのセット時において、襟首１１２に引っ掛かることがない。
したがって、第１実施形態の抑制部材１０によれば、襟１１０を自然な状態で維持することができる。なお、上記第２の効果は、同等の大きさの抑制部材１０が複数のサイズの衣服１００に対しても発揮される点で有効である。
【００３０】
（第３の効果）
第３の効果は、第２の効果を奏する構成を前提としつつ、内周壁２２と外周壁２４との対向間隔がその開口側から繋ぎ壁２６に相当する面側に亘って徐々に狭くなっていることの効果である（図２Ｄ参照）。
第１実施形態の場合、上記の構成を有することで、抑制部材１０の襟１１０へのセット時に襟首１１２の折り目が周壁部２０の繋ぎ壁２６の幅方向中央に案内され易い。
したがって、第１実施形態の抑制部材１０は、襟１１０へのセット性に優れる。これに伴い、第１実施形態の抑制部材１０によれば、抑制部材１０がセットされた状態の襟首１１２を自然な状態で維持することができる。なお、上記第３の効果は、同等の大きさの抑制部材１０が複数のサイズの衣服１００に対しても発揮される点で有効である。
【００３１】
（第４の効果）
第４の効果は、抑制部材１０が、周壁部２０、すなわち、内周壁２２の内側に配置され、内周壁２２に繋がっている平板部４０を備えていることの効果である（図１Ａ、図２Ａ、図２Ｄ等参照）。
例えば、平板部４０を備えていない抑制部材（図示省略）の場合、襟１１０にセットされている抑制部材１０に外力がかかることにより周壁部２０が弾性変形する場合がある。その結果、襟首１１２に嵌め合わされている周壁部２０が襟首１１２から外れる場合がある。
これに対して、第１実施形態の抑制部材１０は、周壁部２０の中に平板部４０が配置されており、かつ、平板部４０が周壁部２０に繋がっている。そのため、第１実施形態の抑制部材１０は、平板部４０を備えていない抑制部材に比べて、外力がかかった場合に弾性変形し難い。
したがって、第１実施形態の抑制部材１０は、外力がかかった場合であっても、周壁部２０の形状を維持し易い。
【００３２】
（第５の効果）
第５の効果は、抑制部材１０が襟１１０の襟元１１６を覆う襟元部３０を備えていることの効果である（図１Ａ及び図１Ｂ参照）。
前述のとおり、特許文献１の襟当部材は、襟の内側に嵌め込まれる輪状の部材とされている。そのため、特許文献１の襟当部材では、衣服の襟元を覆う構成になっていない。
したがって、第１実施形態の抑制部材１０は、襟元１１６の外側から外力がかかる場合であっても襟元１１６の型崩れを抑制することができる。
【００３３】
なお、第１実施形態の襟元部３０は、天板部３２と、上側壁３４と、一対の対向壁３６とを有している（図１Ａ、図１Ｂ、図２Ａ等参照）。特に、天板部３２は、正面視にて、その一部が襟元１１６と重なるような大きさとされ（図１Ａ参照）、かつ、上下方向の上端側で周壁部２０の繋ぎ壁２６と連続的に繋がっている（図１Ａ、図１Ｂ及び図２Ａ参照）。そのため、第１実施形態の抑制部材１０は、異なるサイズの衣服１００の襟１１０にセットした場合であっても、各サイズの衣服１００の襟１１０の襟元１１６を上下方向のいずれかの位置に位置させることができる（図１Ａ、図３Ａ及び図３Ｂ参照）。したがって、第１実施形態の抑制部材１０によれば、上記構成を有することにより、複数のサイズの衣服１００に対してセットした場合であっても、襟１１０の型崩れ（特に襟元１１６の型崩れ）を抑制することができる。
【００３４】
（第６の効果）
第６の効果は、第５の効果を奏する構成を前提としつつ、襟元部３０の天板部３２の上下方向における上端から下端に亘る各位置での幅Ｗｂが周壁部２０の繋ぎ壁２６の幅Ｗａよりも広いことの効果である（図２Ａ参照）。
第１実施形態の抑制部材１０は、上記構成を有することにより、幅Ｗｂの幅が幅Ｗａの幅と同等とされる抑制部材（図示省略）に比べて、複数のサイズの衣服１００に対するセット時に、襟１１０の型崩れ（特に襟元１１６の型崩れ）を抑制することができる。
【００３５】
（第７の効果）
第７の効果は、第５の効果を奏する構成を前提としつつ、襟元部３０の天板部３２の上下方向における上端から下端に亘る長さＬが周壁部２０の繋ぎ壁２６の幅Ｗａよりも大きいことの効果である（図２Ａ参照）。
第１実施形態の抑制部材１０は、上記構成を有することにより、幅Ｗｂの幅が幅Ｗａの幅と同等とされる抑制部材（図示省略）に比べて、複数のサイズの衣服１００に対するセット時に、襟１１０の型崩れ（特に襟元１１６の型崩れ）を抑制することができる。
【００３６】
（第８の効果）
第８の効果は、第５の効果を奏する構成を前提としつつ、天板部３２の幅Ｗｂが上下方向の上端から下端側に亘って徐々に小さくなっていることの効果である（図２Ａ参照）。
第１実施形態の抑制部材１０によれば、上記の構成を有することにより、天板部３２の上下方向の上端から下端側に亘る幅が一定である抑制部材（図示省略）に比べて、抑制部材１０の襟１１０へのセット時に襟元１１６が天板部３２の幅方向中央に案内され易い。これに伴い、第１実施形態の抑制部材１０によれば、襟元１１６の型崩れを抑制することができる。
【００３７】
（第９の効果）
第９の効果は、第５の効果を奏する構成を前提としつつ、天板部３２の突出量Ｖａが上下方向の上端から下端側に亘って徐々に小さくなっていることの効果である（図２Ａ参照）。
第１実施形態の抑制部材１０によれば、上記の構成を有することにより、天板部３２の上下方向の上端から下端側に亘る突出量Ｖａが一定である抑制部材（図示省略）に比べて、抑制部材１０の襟１１０へのセット時に襟元１１６が厚み方向の背面側に案内され易い。これに伴い、第１実施形態の抑制部材１０によれば、襟元１１６の型崩れを抑制することができる。
【００３８】
（第１０の効果）
第１０の効果は、第５の効果を奏する構成を前提としつつ、襟元部３０が内周壁２２の長さ方向の両端及び天板部３２の上下方向の上端を繋いでいる上側壁３４を有することの効果である（図１Ａ、図２Ａ、図２Ｂ等参照）。
第１実施形態の抑制部材１０によれば、上記の構成を有することにより、襟元部３０に上側壁３４がない抑制部材（図示省略）に比べて、襟元部３０の形状が維持され易い。これに伴い、第１実施形態の抑制部材１０によれば、襟元１１６の型崩れを抑制することができる。
【００３９】
（第１１の効果）
第１１の効果は、第５の効果を奏する構成を前提としつつ、襟元部３０が天板部３２の幅方向の両側に、互いに対向し、天板部３２の長さ方向（上下方向）の勾配よりも急勾配とされる一対の対向壁３６を有することの効果である（図１Ａ、図１Ｂ、図２Ａ、図２Ｃ等参照）。
例えば、一対の対向壁３６の勾配が天板部３２の長さ方向の勾配と同等とされる抑制部材（図示省略）の場合、当該抑制部材を襟１１０にセットしている状態では、襟羽１１４が厚み方向の正面側に浮き上がる虞がある。
これに対して、第１実施形態の抑制部材１０によれば、上記の構成を有することにより、一対の対向壁３６の勾配が天板部３２の長さ方向の勾配と同等とされる抑制部材を用いる場合に比べて、襟元１１６がより立った状態に維持することができる。
【００４０】
（第１２の効果）
第１２の効果は、第１１の効果を奏する構成を前提としつつ、抑制部材１０が襟元部３０の幅方向の両側に配置され、正面視にて襟１１０の襟羽１１４に重なる一対の襟羽部５０を備えていることの効果である（図１Ａ、図１Ｂ、図２Ａ、図２Ｃ等参照）。
例えば、一対の襟羽部５０を備えていない抑制部材（図示省略）の場合、当該抑制部材を襟１１０にセットしている状態では、襟羽１１４を保護することができない。
これに対して、第１実施形態の抑制部材１０によれば、上記の構成を有することにより、一対の襟羽１１４を保護することができる。また、第１実施形態の場合、一対の襟羽部５０により一対の襟羽１１４を厚み方向の正面側から背面側に押すことが可能となっている。そのため、第１実施形態の抑制部材１０によれば、一対の襟羽部５０を備えていない抑制部材を用いる場合に比べて、襟元１１６をより立った状態に維持することができる。
【００４１】
（第１３の効果）
第１３の効果は、抑制部材１０が樹脂製の一体成型品とされていることの効果である。
例えば、抑制部材１０を複数の部品の組み立て品で構成することも可能である。しかしながら、第１実施形態の抑制部材１０は、樹脂製の一体成型品とされている。したがって、第１実施形態の抑制部材１０は、複数の部品の組み立て品で構成されている抑制部材（図示省略）に比べて、製造コストが低い。
【００４２】
（第１４の効果）
第１４の効果は、抑制部材１０が透明とされていることの効果である。第１実施形態の抑制部材１０は、透明とされているため、襟１１０にセットされている状態で視認可能とされている。したがって、第１実施形態の抑制部材１０を用いれば、型崩れが抑制された状態の襟１１０を使用者等に視認させることができる。
【００４３】
（第１５の効果）
第１５の効果は、抑制部材１０が衣服１００よりも硬いことの効果である。第１実施形態の抑制部材１０は、上記構成を有することにより、衣服１００の硬さ以下の硬さの抑制部材（図示省略）を用いる場合に比べて、襟１１０の型崩れが抑制され易い。
【００４４】
以上が、第１実施形態の効果についての説明である。
【００４５】
＜第１実施形態の変形例＞
以上のとおり、本発明について第１実施形態を一例として説明したが、本発明は第１実施形態に限定されるものではない。本発明の技術的範囲には、例えば、下記のような形態（変形例）も含まれる。
【００４６】
例えば、第１実施形態の抑制部材１０のセットの対象は、ワイシャツであるとして説明した。しかしながら、当該対象が襟１１０を有する衣服であれば、衣服１００の一例はワイシャツでなくてもよい。
【００４７】
また、第１実施形態の抑制部材１０は、前述した第１〜第１５の効果を奏するためのすべての構成を有する形態であるとして説明した。しかしながら、少なくとも第１の効果を奏する構成、すなわち、抑制部材１０が少なくとも周壁部２０を備えていれば、他の構成を備えていなくてもよい。例えば、抑制部材１０が平板部４０を備えていなくてもよい。また、例えば、抑制部材１０が一対の襟羽部５０を備えていなくてもよい。また、例えば、抑制部材１０が透明でなくてもよい。これらの変形例の場合であっても前述した第１〜第１５の効果のいずれか１つの効果を奏することから、これらの変形例は本発明の技術的範囲に属する形態といえる。
【００４８】
また、第１実施形態では、抑制部材１０の一例を図１Ａ、図２Ａ〜図２Ｄ等のような形態であるとして説明した。しかしながら、抑制部材１０が第１実施形態で説明した構成要素（例えば、周壁部２０、襟元部３０等）を備えていれば、各構成要素の材質、形状等は、第１実施形態の場合と同等でなくてもよい。例えば、図４Ａの変形例（第１変形例）、図４Ｂの変形例（第２変形例）、図４Ｃの変形例（第３変形例）等のような形態（各変形例における符号は、第１実施形態の符号を準用する。）であってもよい。本発明の技術的範囲に含まれる抑制部材は、第１実施形態及び第１〜第３変形例の構成と同等でなくてもよく、衣服の形状、襟の大きさ、形状その他の要件に合わせて適宜変更することが可能である。
【００４９】
以上が、第１実施形態の変形例についての説明である。また、以上が第１実施形態及びその変形例についての説明である。
【００５０】
≪第２実施形態及びその変形例≫
次に、第２実施形態について図面を参照しながら説明する。まず、第２実施形態の抑制部材１０Ｄ（図５Ａ、図５Ｃ等参照）の機能及び構成について説明する。次いで、第２実施形態の抑制部材１０Ｄの効果について説明する。次いで、変形例について説明する。なお、以下の説明では、第２実施形態における、第１実施形態と異なる部分についてのみ説明する。別言すると、第１実施形態の説明にあって第２実施形態の説明にない部分は、第１実施形態の部分を準用する（第２実施形態の抑制部材１０Ｄの機能及び構成を第１実施形態の抑制部材１０の機能及び構成に置き換える）。また、以下の説明において、第２実施形態の構成要素に第１実施形態の構成要素と同じ構成要素を用いる場合、第２実施形態の構成要素の名称、符号等は第１実施形態の構成要素の名称、符号等を準用する。
【００５１】
＜第２実施形態の抑制部材の機能及び構成＞
図５Ａは、第２実施形態の抑制部材１０Ｄを衣服１００の襟１１０にセットした状態を示す正面図である。また、図５Ｂは、第２実施形態の抑制部材１０Ｄを衣服１００の襟１１０にセットした状態を示す斜視図である。さらに、図５Ｃは第２実施形態の抑制部材の正面図であり、図５Ｄは第２実施形態の抑制部材の側面図である。
【００５２】
第２実施形態の抑制部材１０Ｄは、図５Ａ、図５Ｂ、図５Ｃ等に示されるように、周壁部２０Ｄ（対向部分の一例）と、襟元部３０Ｄ（覆い部分の一例）と、平板部４０（平板部分の一例）とを備えている。また、第２実施形態の抑制部材１０Ｄは、衣服１００の襟１１０にセットされた状態（図５Ａ参照）において（又はセットされた姿勢（図５Ｃ参照）において）、左右対称とされている。図５Ｃの一点鎖線は、抑制部材１０Ｄの対象線（中心線）を示している。
以下の抑制部材１０Ｄの構成の説明では、特に断り書がない限り、抑制部材１０Ｄが襟１１０にセットされた状態（図５Ａ参照）、すなわち、使用状態を前提とする。
【００５３】
（周壁部）
周壁部２０Ｄは、図５Ａ及び図５Ｂに示されるように、抑制部材１０の襟１１０へのセット時に、襟１１０（襟首１１２）の内側に配置され、襟１１０に対向するようになっている。そのため、周壁部２０Ｄは、襟首１１２に沿って延在している、無端状の壁とされている。ただし、周壁部２０Ｄは襟首１１２の内側に配置されるため、その長さ方向の全長は襟首１１２の長さ方向の全長よりも短い。また、周壁部２０Ｄにおける襟元１１６に対向する部分２０Ｄ１は、抑制部材１０Ｄの幅方向に沿って平板状とされている。なお、第２実施形態の周壁部２０Ｄは、第１実施形態の周壁部２０と異なり、外周壁２４及び繋ぎ壁２６を有していない。
【００５４】
（襟元部）
襟元部３０Ｄは、図５Ａ、図５Ｂ及び６Ａに示されるように、天板部３２Ｄ（延在部分の一例）と、一対の対向壁３６Ｄとを有している。なお、周壁部２０Ｄと天板部３２Ｄとは、直線状に折り曲げられ境界部分３４Ｄにより繋がっている。そして、襟元部３０Ｄは、周壁部２０Ｄに対し、境界部分３４Ｄを軸として揺動可能とされている。
【００５５】
天板部３２Ｄは、図５Ａ、図５Ｂ、図５Ｃ及び図５Ｄに示されるように、境界部分３４Ｄを挟んで周壁部２０Ｄ側と反対側に境界部分３４Ｄから延在している。また、一対の対向壁３６Ｄは、天板部３２Ｄと繋がって天板部３２Ｄの幅方向の両側に配置され、互いに対向している。そして、襟元部３０Ｄは、天板部３２Ｄと一対の対向壁３６Ｄとで形成される空間（抑制部材１０Ｄの襟１１０へのセット時に襟元部３０Ｄにおける襟元１１６に対向する側に形成された凹みの内側部分）に襟元１１６の少なくとも一部を収容して襟元１１６を覆うようになっている。なお、襟元部３０Ｄは、図５Ａに示されるように、抑制部材１０Ｄの襟１１０へのセット時に、襟１１０の正面視にてその一部が襟元１１６に重なっている。
【００５６】
（平板部）
平板部４０は、図５Ａ、図５Ｃ等に示されるように、周壁部２０Ｄの内側に配置された平面状の板とされている。平板部４０の全周縁は、周壁部２０Ｄにおける天板部３２Ｄに繋がっている側と反対側の全端部に繋がっている。
【００５７】
なお、第２実施形態の抑制部材１０Ｄは、第１実施形態の抑制部材１０と異なり、一対の襟羽部５０（図１Ａ、図２Ａ、図２Ｃ等参照）を備えていない。
【００５８】
以上が、第２実施形態の抑制部材１０Ｄの機能及び構成についての説明である。
【００５９】
＜第２実施形態の抑制部材の効果＞
次に、第２実施形態の抑制部材１０Ｄの効果（第１及び第２の効果）について図面を参照しながら説明する。
【００６０】
（第１の効果）
第１の効果は、抑制部材１０Ｄが周壁部２０Ｄを備えつつ、襟１１０の襟元１１６を覆う襟元部３０Ｄを備えていることの効果である（図５Ａ、図５Ｂ、図５Ｄ等参照）。
前述のとおり、特許文献１の襟当部材は、襟の内側に嵌め込まれる輪状の部材とされている。そのため、特許文献１の襟当部材では、衣服の襟元を覆う構成になっていない。
しかしながら、第２実施形態の抑制部材１０Ｄは、周壁部２０Ｄを備えつつ、襟１１０の襟元１１６を覆う襟元部３０Ｄを備えている。そのため、襟１１０の外側から外力がかかる場合に、周壁部２０Ｄが襟首１１２の内側から襟首１１２を支えつつ、襟元部３０Ｄが外力を受けて襟元１１６の形状を維持する。
したがって、第２実施形態の抑制部材１０Ｄは、襟１１０の外側から外力がかかる場合であっても襟１１０の型崩れを抑制することができる。
【００６１】
（第２の効果）
第２の効果は、周壁部２０Ｄと天板部３２Ｄとが直線状に折り曲げられ境界部分３４Ｄにより繋がっており、襟元部３０Ｄは周壁部２０Ｄに対し境界部分３４Ｄを軸として揺動可能とされていることの効果である（図５Ａ、図５Ｂ、図５Ｃ及び図５Ｄ参照）。
襟元部３０Ｄは、襟の外側から外力がかかった場合（例えば、衣服を収容している袋の中が真空にされた場合）、外力の大きさに応じて、すなわち、外力とのバランスを取りながら、境界部分３４Ｄを軸として（周壁部２０Ｄに対する）姿勢を変えることができる。そして、襟元部３０Ｄは外力とのバランスを取って周壁部２０Ｄに対する姿勢が定まった状態において、天板部３２Ｄと一対の対向壁３６Ｄとで形成される空間に襟元１１６の少なくとも一部を収容して襟元１１６の形状を維持しながら襟元１１６を覆う。
したがって、第２実施形態の抑制部材１０Ｄは、襟１１０の外側から外力がかかる場合であっても外力とのバランスを取りながら襟元１１６の型崩れを抑制することができる。
【００６２】
以上が、第２実施形態の効果についての説明である。なお、第２実施形態のその他の効果は、第１実施形態の効果に準じる。
【００６３】
＜第２実施形態の変形例＞
以上のとおり、本発明について第２実施形態を一例として説明したが、本発明は第２実施形態に限定されるものではない。本発明の技術的範囲には、例えば、下記のような形態（変形例）も含まれる。
【００６４】
例えば、前述の説明では、第２実施形態の抑制部材１０Ｄを図５Ａ、図５Ｃ等に示される形態とした。しかしながら、第１実施形態における第１変形例（図４Ａ参照）、第２変形例（図４Ｂ参照）、第３変形例（図４Ｃ参照）等のように、各構成要素の寸法等に差異があってもよい。本発明の技術的範囲に含まれる抑制部材は、第２実施形態の構成と同等でなくてもよく、衣服の形状、襟の大きさ、形状その他の要件に合わせて適宜変更することが可能である。すなわち、第２実施形態の変形例は、第１実施形態の変形例を準用した変形例としてもよい。
【００６５】
以上が、第２実施形態の変形例についての説明である。また、以上が第２実施形態及びその変形例についての説明である。
【符号の説明】
【００６６】
１０  抑制部材
１０Ｄ  抑制部材
２０  周壁部
２０Ｄ  周壁部
２０Ｄ１ 周壁部における襟元に対向する部分
２２  内周壁
２４  外周壁
２６  繋ぎ壁
３０  襟元部
３０Ｄ  襟元部
３２  天板部
３２Ｄ  天板部
３４  上側壁
３４Ｄ  境界部分
３６  対向壁
３６Ｄ  対向壁
４０  平板部
５０  襟羽部
１００  衣服
１１０  襟
１１２  襟首
１１４  襟羽
１１６  襟元
Ｌ  天板部の長さ
Ｐ  厚み方向
Ｖ  上下方向
Ｖａ  天板部の突出量
Ｗ  幅方向
Ｗａ  繋ぎ壁の幅
Ｗｂ  天板部の幅
Ｗｂｍ  天板部の最小幅
【図１Ａ】
2020033682.tif 000003
【図１Ｂ】
2020033682.tif 000004
【図２Ａ】
2020033682.tif 000005
【図２Ｂ】
2020033682.tif 000006
【図２Ｃ】
2020033682.tif 000007
【図２Ｄ】
2020033682.tif 000008
【図３Ａ】
2020033682.tif 000009
【図３Ｂ】
2020033682.tif 000010
【図４Ａ】
2020033682.tif 000011
【図４Ｂ】
2020033682.tif 000012
【図４Ｃ】
2020033682.tif 000013
【図５Ａ】
2020033682.tif 000014
【図５Ｂ】
2020033682.tif 000015
【図５Ｃ】
2020033682.tif 000016
【図５Ｄ】
2020033682.tif 000017
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
襟を有する衣服とともに袋に収容され、前記襟の型崩れを抑制する抑制部材であって、
前記襟の内側に配置され、前記襟に対向する内周壁と、
前記襟の外側に配置され、前記内周壁とで前記襟を挟む外周壁と、
前記襟の折り目に対向して配置され、前記内周壁と前記外周壁とを繋ぐ繋ぎ壁と、
前記繋ぎ壁に繋がり、前記襟の正面視にて一部が前記襟の襟元に重なりつつ前記襟元を覆う襟元部と、
を備え、
前記内周壁の高さは、前記襟元部から離れるに従い連続的に低くなっている、
る抑制部材。
【請求項２】
前記内周壁、前記外周壁及び前記繋ぎ壁を、前記内周壁と前記外周壁との対向方向に対し平行な平面で切断した切断面は、Ｕ字状の面とされている、
請求項１に記載の抑制部材。
【請求項３】
前記Ｕ字状の面における、前記内周壁に相当する面と前記外周壁に相当する面とは、開口側から前記繋ぎ壁に相当する面側に亘って対向間隔が徐々に狭くなっている、
請求項２に記載の抑制部材。
【請求項４】
平面状とされ、前記内周壁の内側に配置され、前記内周壁に繋がっている平板部をさらに備える、
請求項１〜３のいずれか１項に記載の抑制部材。
【請求項５】
前記襟元部における前記襟の正面視にて前記襟の襟元に重なる部分は、重なり部分とされ、
前記重なり部分における前記繋ぎ壁側の端部から前記繋ぎ壁側の端部と反対側の端部に亘る各位置での幅は、前記繋ぎ壁の幅よりも広い、
請求項１〜４のいずれか１項に記載の抑制部材。
【請求項６】
前記襟元部における前記襟の正面視にて前記襟の襟元に重なる部分は、重なり部分とされ、
前記重なり部分における前記繋ぎ壁側の端部から前記繋ぎ壁側の端部と反対側の端部までの長さは、前記繋ぎ壁の幅よりも大きい、
請求項１〜５のいずれか１項に記載の抑制部材。
【請求項７】
前記襟元部における前記襟の正面視にて前記襟の襟元に重なる部分は、重なり部分とされ、
前記重なり部分の幅は、前記繋ぎ壁側の端部から前記繋ぎ壁側の端部と反対側の端部側に亘って徐々に幅が狭くなっている、
請求項１〜６のいずれか１項に記載の抑制部材。
【請求項８】
前記襟元部における前記襟の正面視にて前記襟の襟元に重なる部分は、重なり部分とされ、
前記重なり部分の突出量は、前記繋ぎ壁側の端部から前記繋ぎ壁の側端部と反対側の端部側に亘って徐々に小さくなっている、
請求項１〜７のいずれか１項に記載の抑制部材。
【請求項９】
前記襟元部は、前記内周壁の両端及び前記重なり部分の上端を繋いでいる繋ぎ部分を有する、
請求項１〜８のいずれか１項に記載の抑制部材。
【請求項１０】
前記襟元部は、前記重なり部分の幅方向の両側に、互いに対向し、前記重なり部分の長さ方向の勾配よりも急勾配とされる一対の対向壁を有する、
請求項１〜９のいずれか１項に記載の抑制部材。
【請求項１１】
前記襟元部の幅方向の両側に配置され、前記襟の正面視にて前記襟の襟羽に重なる一対の重なり板をさらに備える、
請求項１０に記載の抑制部材。
【請求項１２】
襟を有する衣服とともに袋に収容され、前記襟の型崩れを抑制する抑制部材であって、
前記襟の内側に配置され、前記襟に対向する対向部分と、
前記対向部分と繋がり、前記対向部分との境界部分が直線状に折り曲げられて前記対向部分に対し前記境界部分を軸として揺動可能とされ、前記襟の襟元を覆う覆い部分と、
を備える抑制部材。
【請求項１３】
平面状とされ、前記対向部分の内側に配置され、前記対向部分に繋がっている平板部分をさらに備える、
請求項１２に記載の抑制部材。
【請求項１４】
前記覆い部分は、前記境界部分を挟んで前記対向部分側と反対側に前記境界部分から延在する延在部分と、前記延在部分と繋がって前記延在部分の幅方向の両側に配置され、互いに対向する一対の対向壁とを有し、前記延在部分と前記一対の対向壁とで形成される空間に前記襟元の少なくとも一部を収容して前記襟元を覆う、
請求項１２又は１３に記載の抑制部材。
【請求項１５】
前記抑制部材は、樹脂製の一体成型品とされている、
請求項１〜１４のいずれか１項に記載の抑制部材。
【請求項１６】
前記抑制部材は、透明とされている、
請求項１５に記載の抑制部材。
【請求項１７】
前記抑制部材は、前記衣服よりも硬い、
請求項１５又は１６に記載の抑制部材。